(57)【要約】【課題】実使用条件における直流給電システムの回路構成での絶縁抵抗を測定可能なパワーコンディショナを提供する。【解決手段】パワーコンディショナ１００は、直流バス８とＤＣ／ＡＣコンバータ７と連系リレー部２０とを備える。ＤＣ／ＡＣコンバータ７は、負母線ＮＬから正母線ＰＬへと電流を流す向きに接続されたダイオードＤ１〜Ｄ４を含む。連系リレー部２０は、ブレーカ１０と接続点Ｐとの間、およびブレーカ１０と接続点Ｑとの間に電気的に接続され、ブレーカ１０と連動して、ＤＣ／ＡＣコンバータ７を系統電力源１から切り離す。一方で、連系リレー部２０は、所定の操作に基づいて、非導通状態から導通状態へと移行する。連系リレー部２０が導通状態へと切り替えられた状態において、連系リレー部２０は、絶縁抵抗測定器９から、ＤＣ／ＡＣコンバータ７および直流バス８の接地に対する絶縁抵抗を測定するための電圧を受ける。【選択図】図３
2014185907.tif 000002
【特許請求の範囲】
【請求項１】
パワーコンディショナであって、
正母線および負母線を含み、直流電力を発電する直流発電機器と、直流電力を蓄える蓄電機器と、直流電力が供給される直流機器とを接続可能に構成された直流バスと、
前記直流バスからの直流電力を交流電力に変換して、当該交流電力を系統電力源に供給する直流／交流変換部とを備え、
前記直流／交流変換部は、
前記正母線と前記負母線との間に直列に接続された第１および第２のスイッチと、
前記正母線と前記負母線との間に直列に接続された第３および第４のスイッチと、
前記負母線から前記正母線へと電流を流す向きに前記第１〜第４のスイッチとそれぞれ並列に接続された第１〜第４のダイオードとを含み、
前記パワーコンディショナは、
前記第１および第２のスイッチの第１の接続点と前記系統電力源との間、および前記第３および第４のスイッチの第２の接続点と前記系統電力源との間に電気的に接続され、第１の操作に基づいて、前記直流／交流変換部を前記系統電力源から切り離す第１の遮断部を接続可能に構成され、
前記第１の遮断部と前記第１の接続点との間、および前記第１の遮断部と前記第２の接続点との間に電気的に接続され、前記第１の遮断部と連動して、前記直流／交流変換部を前記系統電力源から切り離す一方で、第２の操作に基づいて、非導通状態から導通状態へと移行する第２の遮断部をさらに備え、
前記第２の遮断部は、導通状態において、絶縁抵抗測定器を前記第１の接続点に電気的に接続可能に構成された第１の接続ノードを含み、
前記第１の遮断部により前記直流／交流変換部が前記系統電力源から切り離されるとともに、前記第２の遮断部が導通状態へと切り替えられた状態において、前記第１の接続ノードは、前記第１の接続ノードに接続された前記絶縁抵抗測定器から、前記直流／交流変換部および前記直流バスの接地に対する絶縁抵抗を測定するための電圧を受ける、パワーコンディショナ。
【請求項２】
前記第２の遮断部は、
前記第１の接続点に電気的に接続された入力端子と、
前記第１の遮断部に電気的に接続された第１の出力端子と、
前記第１の接続ノードに電気的に接続された第２の出力端子とを含み、
前記第２の遮断部は、前記直流発電機器および前記蓄電機器のうちの少なくとも一方が前記直流バスに電気的に接続されている間、前記入力端子と前記第１の出力端子とを導通させる一方で、前記直流発電機器および前記蓄電機器の各々が前記直流バスから切り離されると、前記入力端子と前記第２の出力端子とを導通させる、請求項１に記載のパワーコンディショナ。
【請求項３】
前記第１の遮断部により前記直流／交流変換部が前記系統電力源から切り離されるとともに、前記第２の遮断部が導通状態へと切り替えられた状態において、前記第１の接続ノードは、前記絶縁抵抗測定器から、前記直流／交流変換部および前記正母線の接地に対する絶縁抵抗を測定するための正の電圧、または前記直流／交流変換部および前記負母線の接地に対する絶縁抵抗を測定するための負の電圧を受ける、請求項１または２に記載のパワーコンディショナ。
【請求項４】
前記第２の遮断部は、導通状態において、前記絶縁抵抗測定器を前記第２の接続点に電気的に接続可能に構成された第２の接続ノードをさらに含み、
前記第１の遮断部により前記直流／交流変換部が前記系統電力源から切り離されるとともに、前記第２の遮断部が導通状態へと切り替えられた状態において、前記第２の接続ノードは、前記第２の接続ノードに接続された前記絶縁抵抗測定器から、前記直流／交流変換部および前記直流バスの接地に対する絶縁抵抗を測定するための正または負の電圧を受ける、請求項１または２に記載のパワーコンディショナ。
【請求項５】
直流給電システムの絶縁抵抗測定方法であって、
前記直流給電システムは、
正母線および負母線を含み、直流機器に直流電力を供給するための直流バスと、
直流電力を発電して、当該直流電力を前記直流バスに供給する直流発電機器と、
前記直流バスに供給される直流電力を蓄える蓄電機器と、
前記直流バスからの直流電力を交流電力に変換して、当該交流電力を系統電力源に供給する直流／交流変換部とを備え、
前記直流／交流変換部は、
前記正母線と前記負母線との間に直列に接続された第１および第２のスイッチと、
前記正母線と前記負母線との間に直列に接続された第３および第４のスイッチと、
前記負母線から前記正母線へと電流を流す向きに前記第１〜第４のスイッチとそれぞれ並列に接続された第１〜第４のダイオードとを含み、
前記第１および第２のスイッチの第１の接続点と、前記第３および第４のスイッチの第２の接続点とは、第１の遮断部を介して、前記系統電力源に電気的に接続され、
前記直流給電システムは、
前記第１の遮断部と前記第１の接続点との間、および前記第１の遮断部と前記第２の接続点との間に電気的に接続され、前記第１の遮断部と連動して、前記直流／交流変換部を前記系統電力源から切り離す第２の遮断部をさらに備え、
前記絶縁抵抗測定方法は、
前記第１の遮断部により、前記直流／交流変換部を前記系統電力源から切り離すステップと、
外部電力により、前記第２の遮断部を非導通状態から導通状態へと切り替えるステップと、
前記第２の遮断部の前記第１の遮断部側と接地電位との間に電気的に接続された絶縁抵抗測定器により、前記第１の接続点と前記接地電位との間に正または負の電圧を印加して、前記直流／交流変換部および前記直流バスの接地に対する絶縁抵抗を測定するステップとを備え、
前期切り替えるステップは、前期切り離すステップの後に実行され、
前記測定するステップは、前記切り替えるステップの後に実行される、直流給電システムの絶縁抵抗測定方法。
【発明の詳細な説明】
【技術分野】
【０００１】
本発明は、パワーコンディショナ、および直流給電システムの絶縁抵抗測定方法に関する。
【背景技術】
【０００２】
たとえば「電気設備に関する技術基準を定める省令」には、絶縁抵抗の基準値が定められている。また、絶縁抵抗の様々な測定方法が提案されている。
【０００３】
たとえば、特開２００９―３１１８７号公報（特許文献１）に開示された絶縁抵抗測定方法は、Ｔ型検出回路を用いる。Ｔ型検出回路では、直流回路の正極と負極との間に、高い抵抗値を持つ第１抵抗器と低い抵抗値を持つ第２抵抗器との組が２組直列に接続される。また、２組の検出抵抗器の中性点に、低い抵抗値を持つ第３抵抗器の一端が接続される。第３抵抗器の他端は接地される。正極側の第２抵抗器および負極側の第３抵抗器の抵抗値を同じ値にしたときに、第２抵抗器および第３抵抗器の両端の各々に発生する電圧が検出される。正極側第２抵抗器の電圧対第３抵抗器の電圧比、または負極側第２抵抗器の電圧対第３抵抗器の電圧比が演算される。これらの電圧比のいずれかに第１抵抗器と同じ値の定数Ｋ値を乗算して絶縁抵抗値を得るにあたり、第３抵抗器の両端に発生する電圧を整流して用いる。これにより、直流回路に電力変換回路を介して接続された交流回路での絶縁抵抗の測定が可能になる。
【先行技術文献】
【特許文献】
【０００４】
【特許文献１】特開２００９―３１１８７号公報
【発明の概要】
【発明が解決しようとする課題】
【０００５】
近年、太陽電池、燃料電池、および風力発電装置のような分散電源装置が普及し始めている。現状では、分散電源装置により発電された直流電力は交流電力に変換される。電気機器は、この交流電力を直流電力に変換してから消費する。このように、直流／交流変換および交流／直流変換が行なわれるため、電力変換のたびに電力損失が生じる。そこで、電力変換による損失を防ぐために直流給電システムの開発が進められている。直流給電システムでは、分散電源装置が発電する直流電力は、直流電力のまま送電され、電気機器で消費される。
【０００６】
図１１は、従来の直流給電システムの構成を概略的に示す回路ブロック図である。図１１を参照して、従来の直流給電システム９００ａは、パワーコンディショナ９００と、系統電力源１と、太陽電池３と、蓄電機器４と、直流バス８と、ブレーカ１０と、遮断部４０とを備える。直流給電システム９００ａには、直流機器５が接続される。パワーコンディショナ９００は、ＤＣ／ＤＣコンバータ６と、ＤＣ／ＡＣコンバータ７と、連系リレー部２０と、遮断部３０と、制御部１０１とを含む。
【０００７】
太陽電池３は、太陽光から直流電力を生成し、生成した直流電力をパワーコンディショナ９００に供給する。系統電力源１は、たとえば単相３線式の交流電力源である。パワーコンディショナ９００は、太陽電池３で発電された直流電力の余剰分を系統電力源１へ逆潮流して、電力会社等に売る（売電する）ことが可能なように構成されている。
【０００８】
ＤＣ／ＤＣコンバータ６は、太陽電池３から受けた直流電力の電圧を所定の直流電圧（たとえば３８０Ｖ）に変換して、この直流電圧を直流バス８に供給する。ＤＣ／ＡＣコンバータ７は、制御部１０１の制御に基づいて、直流バス８からの直流電力を交流電力に変換して、この交流電力を系統電力源１に供給する。
【０００９】
ブレーカ１０は、系統電力源１とパワーコンディショナ９００との間に電気的に接続される。ブレーカ１０は、交流電力の電流値が所定の許容値を上回ると、導通状態から非導通状態へと移行する。あるいは、ブレーカ１０は、測定者の手動操作に基づいて、導通状態から非導通状態へと移行する。これにより、ブレーカ１０は、パワーコンディショナ９００と系統電力源１との交流電力の授受を遮断する。連系リレー部２０は、安全性の確保および系統電力源１の品質維持の目的で、ブレーカ１０を二重化するために設けられる。連系リレー部２０は、ブレーカ１０によってパワーコンディショナ９００が系統電力源１から切り離されると、導通状態から非導通状態へと移行する。
【００１０】
蓄電機器４は、遮断部４０を介して直流バス８に接続され、直流バス８との間で直流電力を授受する。蓄電機器４には、過電圧または過電流から蓄電機器４を保護するためのブレーカ４１が設けられる。直流機器５は、直流バス８からの直流電力を受けて動作する電気機器である。
【００１１】
絶縁抵抗測定時には、絶縁抵抗測定器９１〜９３が直流給電システム９００ａに接続される。絶縁抵抗測定器９１〜９３により、パワーコンディショナ９００および直流バス８に高電圧（たとえば５００Ｖ）が印加される。多くの場合、絶縁抵抗測定時に印加される電圧は、太陽電池３および蓄電機器４の耐圧以上である。そのため、この高電圧の印加前に、遮断部３０，４０の各々は導通状態から非導通状態へと移行する。これにより、太陽電池３および蓄電機器４の過電圧破壊が防止される。
【００１２】
直流バス８には遮断部６０が設けられる。また、直流バス８において、遮断部６０の蓄電機器４および直流機器５側には、測定端子Ｔｐ，Ｔｎが電気的に接続される。絶縁抵抗測定器９１，９２の一端は、測定端子Ｔｐ，Ｔｎにそれぞれ電気的に接続される。絶縁抵抗測定器９１，９２の各々の他端は、接地電位ＧＮＤに電気的に接続される。また、絶縁抵抗測定器９３の一端は、ＤＣ／ＡＣコンバータ７と連系リレー部２０との間に電気的に接続される。絶縁抵抗測定器９３の他端は、接地電位ＧＮＤに電気的に接続される。
【００１３】
絶縁抵抗測定時には、遮断部６０が導通状態から非導通状態へと移行する。これにより、直流バス８がパワーコンディショナ９００側と直流機器５側とに分割される。絶縁抵抗測定器９１，９２の各々は、直流機器５と、遮断部６０よりも直流機器５側の直流バス８との絶縁抵抗を測定する。また、絶縁抵抗測定器９３は、パワーコンディショナ９００と、遮断部６０よりもパワーコンディショナ９００側の直流バス８との絶縁抵抗を測定する。
【００１４】
つまり、従来の直流給電システムでは、直流バス８のパワーコンディショナ９００側と蓄電機器４および直流機器５側とで絶縁抵抗を別に測定していた。しかし、実使用条件（直流給電時）では遮断部６０は導通状態である。このため、実使用条件における回路構成で絶縁抵抗を測定することが望ましい。しかしながら、従来の直流給電システムでは、絶縁抵抗測定時の回路構成が実使用条件における回路構成と異なるという課題があった。
【００１５】
本発明の目的は、実使用条件における回路構成での絶縁抵抗を測定可能なパワーコンディショナ、および直流給電システムの絶縁抵抗測定方法を提供することである。
【課題を解決するための手段】
【００１６】
本発明のある局面に従えば、パワーコンディショナは、直流バスと、直流／交流変換部とを備える。直流バスは、正母線および負母線を含み、直流電力を発電する直流発電機器と、直流電力を蓄える蓄電機器と、直流電力が供給される直流機器とを接続可能に構成される。直流／交流変換部は、直流バスからの直流電力を交流電力に変換して、当該交流電力を系統電力源に供給する。直流／交流変換部は、正母線と負母線との間に直列に接続された第１および第２のスイッチと、正母線と負母線との間に直列に接続された第３および第４のスイッチと、負母線から正母線へと電流を流す向きに第１〜第４のスイッチとそれぞれ並列に接続された第１〜第４のダイオードとを含む。パワーコンディショナは、第１の遮断部を接続可能に構成される。第１の遮断部は、第１および第２のスイッチの第１の接続点と系統電力源との間、および第３および第４のスイッチの第２の接続点と系統電力源との間に電気的に接続され、第１の操作に基づいて、直流／交流変換部を系統電力源から切り離す。パワーコンディショナは、第２の遮断部をさらに備える。第２の遮断部は、第１の遮断部と第１の接続点との間、および第１の遮断部と第２の接続点との間に電気的に接続され、第１の遮断部と連動して、直流／交流変換部を系統電力源から切り離す一方で、第２の操作に基づいて、非導通状態から導通状態へと移行する。第２の遮断部は、導通状態において、絶縁抵抗測定器を第１の接続点に電気的に接続可能に構成された第１の接続ノードを含む。第１の遮断部により直流／交流変換部が系統電力源から切り離されるとともに、第２の遮断部が導通状態へと切り替えられた状態において、第１の接続ノードは、第１の接続ノードに接続された絶縁抵抗測定器から、直流／交流変換部および直流バスの接地に対する絶縁抵抗を測定するための電圧を受ける。
【００１７】
好ましくは、第２の遮断部は、第１の接続点に電気的に接続された入力端子と、第１の遮断部に電気的に接続された第１の出力端子と、第１の接続ノードに電気的に接続された第２の出力端子とを含む。第２の遮断部は、直流発電機器および蓄電機器のうちの少なくとも一方が直流バスに電気的に接続されている間、入力端子と第１の出力端子とを導通させる一方で、直流発電機器および蓄電機器の各々が直流バスから切り離されると、入力端子と第２の出力端子とを導通させる。
【００１８】
好ましくは、第１の遮断部により直流／交流変換部が系統電力源から切り離されるとともに、第２の遮断部が導通状態へと切り替えられた状態において、第１の接続ノードは、絶縁抵抗測定器から、直流／交流変換部および正母線の接地に対する絶縁抵抗を測定するための正の電圧、または直流／交流変換部および負母線の接地に対する絶縁抵抗を測定するための負の電圧を受ける。
【００１９】
好ましくは、第２の遮断部は、導通状態において、絶縁抵抗測定器を第２の接続点に電気的に接続可能に構成された第２の接続ノードをさらに含む。第１の遮断部により直流／交流変換部が系統電力源から切り離されるとともに、第２の遮断部が導通状態へと切り替えられた状態において、第２の接続ノードは、第２の接続ノードに接続された絶縁抵抗測定器から、直流／交流変換部および直流バスの接地に対する絶縁抵抗を測定するための正または負の電圧を受ける。
【００２０】
本発明の他の局面に従えば、直流給電システムの絶縁抵抗測定方法に関する。直流給電システムは、直流バスと、直流発電機器と、蓄電機器と、直流／交流変換部とを備える。直流バスは、直流機器に直流電力を供給するために設けられる。直流発電機器は、直流電力を発電して、当該直流電力を直流バスに供給する。蓄電機器は、直流バスに供給される直流電力を蓄える。直流／交流変換部は、直流バスからの直流電力を交流電力に変換して、当該交流電力を系統電力源に供給する。直流／交流変換部は、第１〜第４のスイッチと、第１〜第４のダイオードとを含む。第１および第２のスイッチは、直流バスの正母線と負母線との間に直列に接続される。第３および第４のスイッチは、直流バスの正母線と負母線との間に直列に接続される。第１〜第４のダイオードは、負母線から正母線へと電流を流す向きに第１〜第４のスイッチとそれぞれ並列に接続される。第１および第２のスイッチの第１の接続点と、第３および第４のスイッチの第２の接続点とは、第１の遮断部を介して、系統電力源に電気的に接続される。直流給電システムは、第２の遮断部をさらに備える。第２の遮断部は、第１の遮断部と第１の接続点との間、および第１の遮断部と第２の接続点との間に電気的に接続され、第１の遮断部と連動して、直流／交流変換部を系統電力源から切り離す。絶縁抵抗測定方法は、第１の遮断部により、直流／交流変換部を系統電力源から切り離すステップと、外部電力により、第２の遮断部を非導通状態から導通状態へと切り替えるステップと、第２の遮断部の第１の遮断部側と接地電位との間に電気的に接続された絶縁抵抗測定器により、第１および第２のスイッチの第１の接続点と接地電位との間に正または負の電圧を印加して、直流／交流変換部および直流バスの接地に対する絶縁抵抗を測定するステップとを備える。前期切り替えるステップは、前期切り離すステップの後に実行される。測定するステップは、切り替えるステップの後に実行される。
【発明の効果】
【００２１】
本発明によれば、実使用条件における回路構成での絶縁抵抗を測定可能なパワーコンディショナ、および直流給電システムの絶縁抵抗測定方法を実現することができる。
【図面の簡単な説明】
【００２２】
【図１】本発明の実施の形態１に係る直流給電システムの構成を概略的に示す回路ブロック図である。
【図２】図１に示した絶縁抵抗測定器と連系リレー部との接続を概略的に示す回路ブロック図である。
【図３】図１に示した正母線側の絶縁抵抗測定を説明するための図である。
【図４】図１に示した負母線側の絶縁抵抗測定を説明するための図である。
【図５】図１に示した直流給電システムにおける絶縁抵抗測定方法を説明するためのフローチャートである。
【図６】図２に示した絶縁抵抗測定器の接続とは異なる接続における、正母線側の絶縁抵抗測定を説明するための図である。
【図７】図２に示した絶縁抵抗測定器の接続とは異なる接続における、負母線側の絶縁抵抗測定を説明するための図である。
【図８】本発明の実施の形態２に係る直流給電システムの構成を概略的に示す回路ブロック図である。
【図９】図８に示した連系リレー部の構成を概略的に示す回路ブロック図である。
【図１０】図８に示した直流給電システムにおける絶縁抵抗測定方法を説明するためのフローチャートである。
【図１１】従来の直流給電システムの構成を概略的に示す回路ブロック図である。
【発明を実施するための形態】
【００２３】
以下、本発明の実施の形態について図面を参照しながら詳細に説明する。なお、図中同一または相当部分には同一符号を付して、その説明を繰り返さない。また、以下に説明する実施の形態において、絶縁抵抗測定器によって測定される絶縁抵抗とは、接地に対する絶縁抵抗を指す。
【００２４】
［実施の形態１］
図１は、本発明の実施の形態１に係る直流給電システムの構成を概略的に示す回路ブロック図である。図１を参照して、直流給電システム１００ａは、パワーコンディショナ１００と、系統電力源１と、太陽電池３と、蓄電機器４と、直流バス８と、ブレーカ１０と、遮断部４０と、直流電圧源１０２とを備える。直流給電システム１００ａには、直流機器５が接続される。パワーコンディショナ１００は、ＤＣ／ＤＣコンバータ６と、ＤＣ／ＡＣコンバータ７と、連系リレー部２０と、遮断部３０と、制御部１０１とを含む。
【００２５】
太陽電池３は、太陽光から直流電力を生成し、この直流電力をパワーコンディショナ１００に供給する。系統電力源１は、たとえば単相３線式の交流電力源である。パワーコンディショナ１００は、太陽電池３で発電された直流電力の余剰分を系統電力源１へ逆潮流して、電力会社等に売る（売電する）ことが可能なように構成されている。
【００２６】
ＤＣ／ＤＣコンバータ６は、太陽電池３から受けた直流電力の電圧を所定の直流電圧（たとえば３８０Ｖ）に変換して、この直流電圧を直流バス８に供給する。直流バス８は、正母線ＰＬおよび負母線ＮＬを含む。正母線ＰＬの電位は、接地電位ＧＮＤを基準として、たとえば１９０Ｖである。負母線ＮＬの電位は、接地電位ＧＮＤを基準として、たとえば−１９０Ｖである。
【００２７】
なお、太陽電池３は、本発明に係る「直流発電機器」の一例である。直流電力を発電する機器は太陽電池に特に限定されず、たとえば燃料電池または風力発電装置でもよい。あるいは、これらの組合せでもよい。
【００２８】
蓄電機器４は、遮断部４０を介して直流バス８に接続され、直流バス８との間で直流電力を授受する。蓄電機器４は、たとえばリチウムイオン電池などの二次電池、または電気二重層キャパシタである。蓄電機器４には、過電圧または過電流から蓄電機器４を保護するためのブレーカ４１が設けられる。直流機器５は、直流バス８からの直流電力を受けて動作する電気機器であれば、特に限定されない。また、以下においては蓄電機器４および直流機器５が１個ずつ設けられる場合について説明するが、これらの数に制限はない。
【００２９】
ＤＣ／ＡＣコンバータ（直流／交流変換部）７は、制御部１０１の制御に基づいて、直流バス８からの直流電力を交流電力に変換して、この交流電力を系統電力源１に供給する。ＤＣ／ＡＣコンバータ７は、トランジスタＴｒ１〜Ｔｒ４と、ダイオードＤ１〜Ｄ４と、リアクトルＬ１，Ｌ２と、コンデンサＣ１〜Ｃ４とを有する。
【００３０】
トランジスタＴｒ１〜Ｔｒ４には、たとえばＩＧＢＴ（Insulated Gate Bipolar Transistor）を用いることができる。トランジスタ（第１および第２のスイッチ）Ｔｒ１，Ｔｒ２は、正母線ＰＬと負母線ＮＬとの間に、コレクタが正母線ＰＬ側となる向きに直列に接続される。トランジスタ（第３および第４のスイッチ）Ｔｒ３，Ｔｒ４は、正母線ＰＬと負母線ＮＬとの間に、コレクタが正母線ＰＬ側となる向きに直列に接続される。トランジスタＴｒ１〜Ｔｒ４のコレクタ―エミッタ間には、エミッタからコレクタへ電流を流す向きに、言い換えると負母線ＮＬから正母線ＰＬへと電流を流す向きに、ダイオード（第１〜第４のダイオード）Ｄ１〜Ｄ４がそれぞれ接続される。リアクトルＬ１は、トランジスタＴｒ１，Ｔｒ２の接続点（第１の接続点）Ｐと連系リレー部２０との間に接続される。リアクトルＬ２は、トランジスタＴｒ３，Ｔｒ４の接続点（第２の接続点）Ｑと連系リレー部２０との間に接続される。言い換えると、接続点Ｐ，Ｑの各々は、ブレーカ１０を介して、系統電力源１に電気的に接続される。また、リアクトルＬ１，Ｌ２と連系リレー部２０との間には、コンデンサＣ１，Ｃ２が直列に接続される。正母線ＰＬと負母線ＮＬとの間には、コンデンサＣ３，Ｃ４が直列に接続される。
【００３１】
直流給電システム１００ａの絶縁抵抗を測定するために、絶縁抵抗測定器９が直流給電システム１００ａに接続される。直流給電システムにおける絶縁抵抗の試験基準は、たとえば「小型分散型発電システム用系統連系保護装置等の試験方法通則」（ＪＥＴＧＲ０００２―１―２．０（２０１１））に定められている。上記通則では、絶縁抵抗測定において「専用負荷や補機類を有する場合、これらの回路を閉回路とし、試験電圧が印加できるようにすること」と規定されている。実施の形態１において、蓄電機器４および直流機器５が上記「専用負荷や捕機類」に相当する。つまり、上記通則に従うと、蓄電機器４および直流機器５が直流バス８に接続された状態で、パワーコンディショナ１００と、直流バス８と、蓄電機器４と、直流機器５との絶縁抵抗を測定する必要がある。しかしながら、絶縁抵抗測定時の印加電圧は高く（たとえば５００Ｖ）、蓄電機器４または直流機器５の耐圧よりも大きいことがあり得る。上記通則には、このような場合を想定して、印加電圧以下の耐圧を有する蓄電機器４または直流機器５は、絶縁抵抗測定時に直流バス８に接続しなくてよい旨が規定されている。本明細書で「絶縁抵抗測定時の回路構成が実使用条件における回路構成と同一である」とは、絶縁抵抗測定時に、印加電圧以下の耐圧を有する蓄電機器４または直流機器５を直流バス８から切り離す場合を含む。
【００３２】
以下の説明において、蓄電機器４の耐圧は、絶縁抵抗測定のために直流給電システム１００ａに印加される電圧以下である。したがって、この印加電圧から蓄電機器４を保護するために、遮断部（第４の遮断部）４０が蓄電機器４と直流バス８との間に電気的に接続される。遮断部４０は、測定者による手動操作に基づいて、蓄電機器４を直流バス８から切り離す。なお、遮断部４０を蓄電機器４の内部に設けてもよい。一方、直流機器５の耐圧は印加電圧以上である。したがって、絶縁抵抗測定時においても直流機器５は直流バス８に接続される。
【００３３】
多くの場合、太陽電池３の耐圧も絶縁抵抗測定時の印加電圧以下である。このため、過電圧破壊から太陽電池３を保護するために、遮断部（第３の遮断部）３０が太陽電池３とＤＣ／ＤＣコンバータ６との間に電気的に接続される。遮断部３０は、制御部１０１からの遮断信号ＳＤ３に応答して、太陽電池３をパワーコンディショナ１００から切り離す。なお、絶縁抵抗測定時に太陽電池３が過電圧破壊されるおそれがない場合（たとえばＤＣ／ＤＣコンバータ６が絶縁トランス（図示せず）を含む場合）には、遮断部３０を設けなくてもよい。
【００３４】
絶縁抵抗測定器９は、連系リレー部２０と接地電位ＧＮＤとの間に接続される。言い換えると、絶縁抵抗測定器９は、ＤＣ／ＡＣコンバータ７のブレーカ１０側と接地電位ＧＮＤとの間に電気的に接続される。絶縁抵抗測定器９は、外部から電力供給を受けなくても動作可能なように、独立した電源９ｂを含む。絶縁抵抗測定器９は、パワーコンディショナ１００と、直流バス８と、直流機器５との絶縁抵抗を測定する。
【００３５】
ブレーカ（第１の遮断部）１０は、ブレーカ１０は、ＤＣ／ＡＣコンバータ７と系統電力源１との間に電気的に接続される。ブレーカ１０は、交流電力の電流値が所定の許容値を上回ると、導通状態から非導通状態へと移行する。あるいは、ブレーカ１０は、測定者の手動操作に基づいて、導通状態から非導通状態へと移行する。これにより、ブレーカ１０は、パワーコンディショナ１００から系統電力源１への交流電力の供給を遮断する。
【００３６】
連系リレー部（第２の遮断部）２０は、ブレーカ１０とＤＣ／ＡＣコンバータ７との間に電気的に接続される。連系リレー部２０は、安全性の確保および系統電力源１の品質維持の目的で、ブレーカ１０を二重化するために設けられる。連系リレー部２０は、ブレーカ１０の遮断時にはブレーカ１０と連動して、ＤＣ／ＡＣコンバータ７を系統電力源１から切り離す。
【００３７】
連系リレー部２０は、制御部１０１からの導通信号ＣＮを受けている間、導通状態に保持される。しかしながら、実施の形態１における絶縁抵抗測定時には、後述するように、パワーコンディショナ１００へのすべての電力供給が遮断される。この場合、制御部１０１は、導通信号ＣＮを出力することができない。この状況に備えて、直流電圧源１０２は、パワーコンディショナ１００とは独立して、直流電圧Ｖｄｃを連系リレー部２０に供給可能に構成される。つまり、連系リレー部２０は、制御部１０１からの導通信号ＣＮおよび直流電圧源１０２からの直流電圧Ｖｄｃのうちの少なくとも一方を受けている間、導通状態に保持される。
【００３８】
図２は、図１に示した絶縁抵抗測定器９と連系リレー部２０との接続を概略的に示す回路ブロック図である。図２を参照して、連系リレー部２０は、連系リレー２１，２２と、端子台２３と、外部入力端子２４とを含む。
【００３９】
連系リレー２１は、リアクトルＬ１とブレーカ１０との間に電気的に接続される。連系リレー２２は、リアクトルＬ２とブレーカ１０との間に電気的に接続される。外部入力端子２４は、制御部１０１からの導通信号ＣＮまたは直流電圧源１０２からの直流電圧Ｖｄｃを受けて、導通信号ＣＮまたは直流電圧Ｖｄｃを連系リレー２１，２２に供給する。
【００４０】
端子台２３は端子Ｔ１〜Ｔ３を有する。端子Ｔ１は、ブレーカ１０と連系リレー２１との間に電気的に接続される。端子Ｔ２は、ブレーカ１０と連系リレー２２との間に電気的に接続される。また、パワーコンディショナ１００の筐体（破線で示す）は、接地電位ＧＮＤに電気的に接続される。端子Ｔ３は、接地電位ＧＮＤに電気的に接続される。なお、端子Ｔ１，Ｔ２が本発明に係る「接続ノード」に相当する。あるいは、端子Ｔ２，Ｔ１が本発明に係る「第１および第２の接続ノード」にそれぞれ相当する。
【００４１】
絶縁抵抗測定器９は、線路端子ＴＬおよび基準電圧端子ＴＧを有する。線路端子ＴＬは、端子Ｔ２に電気的に接続される。基準電圧端子ＴＧは、パワーコンディショナ１００の筐体を介して接地電位ＧＮＤに電気的に接続される。絶縁抵抗測定器９は、絶縁抵抗の測定者による手動操作に基づいて、線路端子ＴＬと基準電圧端子ＴＧとの間に高電圧を印加する。絶縁抵抗測定器９は、高電圧の電圧値、および高電圧印加時に線路端子ＴＬと基準電圧端子ＴＧとの間を流れる電流値から絶縁抵抗を測定する。
【００４２】
図３は、図１に示した正母線ＰＬ側の絶縁抵抗測定を説明するための図である。図３を参照して、絶縁抵抗測定前に、ブレーカ１０および遮断部４０は、測定者による手動操作に基づいて、導通状態から非導通状態へと移行する。また、遮断部３０は、制御部１０１からの遮断信号ＳＤ３に応答して、導通状態から非導通状態へと移行する。連系リレー部２０は、直流電圧源１０２からの直流電圧Ｖｄｃを受けて、導通状態に保持される。
【００４３】
絶縁抵抗測定器９は、基準電圧端子ＴＧの電位（接地電位ＧＮＤ）を基準に、試験基準に規定された印加電圧を正電圧（たとえば５００Ｖ）として線路端子ＴＬに印加する。これにより、線路端子ＴＬ―端子Ｔ２（図２参照）―連系リレー２２―リアクトルＬ２―接続点Ｑ―ダイオードＤ３―正母線ＰＬ―直流機器５―接地電位ＧＮＤ―基準電圧端子ＴＧという閉回路を電流が流れる。したがって、絶縁抵抗測定器９は、パワーコンディショナ１００と、正母線ＰＬと、直流機器５との絶縁抵抗を測定することができる。
【００４４】
図４は、図１に示した負母線ＮＬの絶縁抵抗測定を説明するための図である。図４を参照して、図３と同様に、ブレーカ１０および遮断部３０，４０の各々は非導通状態である。連系リレー部２０は導通状態である。
【００４５】
絶縁抵抗測定器９は、基準電圧端子ＴＧの電位を基準に、試験基準に規定された印加電圧を負電圧（たとえば−５００Ｖ）として線路端子ＴＬに印加する。これにより、基準電圧端子ＴＧ―接地電位ＧＮＤ―直流機器５―負母線ＮＬ―ダイオードＤ４―接続点Ｑ―リアクトルＬ２―連系リレー２２―端子Ｔ２―線路端子ＴＬという閉回路を電流が流れる。したがって、絶縁抵抗測定器９は、パワーコンディショナ１００と、負母線ＮＬと、直流機器５との絶縁抵抗を測定することができる。なお、図３および図４に示した電流経路での絶縁抵抗測定のいずれか一方のみを実施してもよい。
【００４６】
なお、絶縁抵抗測定器９は、正および負の高電圧を印加可能と説明した。絶縁抵抗測定器が正電圧のみしか印加できない場合には、たとえば測定者による手動操作によって、端子Ｔ２，Ｔ３（図２参照）に対する線路端子ＴＬおよび基準電圧端子ＴＧの接続を入れ替えればよい。つまり、線路端子ＴＬは、パワーコンディショナ１００の筐体を介して接地電位ＧＮＤに電気的に接続される。基準電圧端子ＴＧは、端子Ｔ２を介してブレーカ１０と連系リレー２２との間に電気的に接続される。絶縁抵抗測定器９は、線路端子ＴＬと基準電圧端子ＴＧとの間に一定の電圧を生じさせる。線路端子ＴＬの電位は基準電圧端子ＴＧの電位よりも高い。したがって、線路端子ＴＬを端子Ｔ３に接続することで、負電圧を印加することができる。
【００４７】
図５は、図１に示した直流給電システム１００ａにおける絶縁抵抗測定方法を説明するためのフローチャートである。図１、図２、および図５を参照して、ステップＳ１１において、たとえば測定者の手動操作（本発明に係る「第１の操作」に相当する）により、ブレーカ１０は導通状態から非導通状態へと移行する。これにより、パワーコンディショナ１００は系統電力源１から切り離される。また、連系リレー部２０は、ブレーカ１０と連動して、導通状態から非導通状態へと移行する（ステップＳ１２）。
【００４８】
ステップＳ１３において、制御部１０１は、遮断部３０に遮断信号ＳＤ３を出力する。遮断部３０は、遮断信号ＳＤ３に応答して、導通状態から非導通状態へと移行する。また、測定者の手動操作により、遮断部４０は導通状態から非導通状態へと移行する。これにより、パワーコンディショナ１００は、太陽電池３および蓄電機器４から切り離される（ステップＳ１４）。つまり、パワーコンディショナ１００へのすべての電力供給が遮断される。
【００４９】
ステップＳ１５において、たとえば測定者の手動操作（本発明に係る「第２の操作」に相当する）により、直流電圧源１０２は連系リレー部２０への直流電圧Ｖｄｃの供給を開始する。これにより、連系リレー部２０は、非導通状態から導通状態へと移行する（ステップＳ１６）。
【００５０】
ステップＳ１７において、測定者の手動操作により、絶縁抵抗測定器９は、基準電圧端子ＴＧの電位を基準として正電圧（たとえば５００Ｖ）を線路端子ＴＬに印加する。このため、図３に示した経路を電流が流れる。これにより、絶縁抵抗測定器９は、パワーコンディショナ１００と、正母線ＰＬと、直流機器５との絶縁抵抗を測定する。
【００５１】
ステップＳ１８において、絶縁抵抗測定器９は、測定者の手動操作により、基準電圧端子ＴＧの電位を基準として負電圧（たとえば−５００Ｖ）を線路端子ＴＬに印加する。このため、図４に示した経路を電流が流れる。これにより、絶縁抵抗測定器９は、パワーコンディショナ１００と、負母線ＮＬと、直流機器５との絶縁抵抗を測定する。ステップＳ１８の処理が終了すると、一連の処理が完了する。
【００５２】
なお、ステップＳ１１，Ｓ１３，Ｓ１５の処理の順序は任意に変更可能である。つまり、絶縁抵抗測定器９によって高電圧を印加する際に、ブレーカ１０と、連系リレー部２０と、遮断部３０，４０とが適切な状態（導通状態または非導通状態）になっていれば、その処理の順序を問わない。また、ステップＳ１７，Ｓ１８の処理の順序を入れ替えて、負母線ＮＬ側の絶縁抵抗を先に測定してもよい。
【００５３】
実施の形態１によれば、連系リレー部２０は、実使用条件と同様に導通状態である。また、遮断部６０（図１１参照）が不要である。このように、実施の形態１によれば、絶縁抵抗測定時の回路構成が実使用条件における回路構成と同一である。また、パワーコンディショナ１００と、直流バス８と、直流機器５との絶縁抵抗を一括して測定可能である。
【００５４】
さらに、従来は絶縁抵抗測定器９１〜９３（図１１参照）によって、パワーコンディショナ９００での絶縁抵抗測定と、正母線ＰＬ側での絶縁抵抗測定と、負母線ＮＬ側での絶縁抵抗測定との合計３回の絶縁抵抗測定が必要であった。これに対し、実施の形態１によれば、パワーコンディショナ１００の絶縁抵抗が正母線ＰＬ（または負母線ＮＬ）の絶縁抵抗と同時に測定される。したがって、絶縁抵抗測定の回数を正母線ＰＬ側と負母線ＮＬ側との２回に削減できる。よって、直流給電システムの絶縁抵抗測定を容易にすることができる。
【００５５】
図２〜図４では、絶縁抵抗測定器９の線路端子ＴＬが、端子台２３の端子Ｔ２に接続される場合について説明した。しかし、線路端子ＴＬは端子Ｔ１に接続されてもよい。
【００５６】
図６は、図２に示した絶縁抵抗測定器９と連系リレー部２０との接続とは異なる接続における、正母線ＰＬ側の絶縁抵抗測定を説明するための図である。図７は、図２に示した絶縁抵抗測定器９と連系リレー部２０との接続とは異なる接続における、負母線ＮＬ側の絶縁抵抗測定を説明するための図である。図６および図７を参照して、線路端子ＴＬは端子Ｔ１（図２参照）に接続される。
【００５７】
図６を参照して、絶縁抵抗測定器９は、基準電圧端子ＴＧの電位（接地電位ＧＮＤ）を基準として正電圧を線路端子ＴＬに印加する。これにより、線路端子ＴＬ―端子Ｔ１―連系リレー２１―リアクトルＬ１―接続点Ｐ―ダイオードＤ１―正母線ＰＬ―直流機器５―接地電位ＧＮＤ―基準電圧端子ＴＧという経路を電流が流れる。図７を参照して、絶縁抵抗測定器９は、基準電圧端子ＴＧの電位を基準として負電圧を線路端子ＴＬに印加する。これにより、基準電圧端子ＴＧ―接地電位ＧＮＤ―直流機器５―負母線ＮＬ―ダイオードＤ２―接続点Ｐ―リアクトルＬ１―連系リレー２１―端子Ｔ１―線路端子ＴＬという経路を電流が流れる。
【００５８】
このように、線路端子ＴＬを端子Ｔ１に接続した場合でも、図３および図４に示した場合とは電流経路が異なるものの、パワーコンディショナ１００と、直流バス８と、直流機器５との絶縁抵抗を一括して測定可能である。この場合の絶縁抵抗測定方法は、図５に示したフローチャートにおける測定方法と同等であるため、詳細な説明を繰り返さない。
【００５９】
図３および図４に示した電流経路での絶縁抵抗測定と、図６および図７に示した電流経路での絶縁抵抗測定との双方を実施してもよい。これにより、ＤＣ／ＡＣコンバータ７の絶縁抵抗の異常をより確実に検出することができる。
【００６０】
図３および図４に示した電流経路での絶縁抵抗測定と、図６および図７に示した電流経路での絶縁抵抗測定とでは、電流経路が異なる。しかしながら、絶縁抵抗値の異常が生じる可能性が相対的に高い箇所は、直流バス８および直流機器５である。パワーコンディショナ１００内の電流経路が異なる場合でも、直流バス８および直流機器５の電流経路は共通である。したがって、これら絶縁抵抗測定のうちのいずれか一方のみを実施してもよい。これにより、絶縁抵抗測定に要する時間を短縮することができる。
【００６１】
［実施の形態２］
実施の形態２によれば、連系リレー部の構成の変更により、直流電圧源１０２（図２参照）が不要になる。
【００６２】
図８は、本発明の実施の形態２に係る直流給電システムの構成を概略的に示す回路ブロック図である。図８を参照して、実施の形態２に係る直流給電システム２００ａの構成は、連系リレー部２０に代えて連系リレー部２０ａを備える点、および直流電圧源１０２を備えない点において、直流給電システム１００ａ（図１参照）の構成と異なる。直流給電システム２００ａの他の構成は、直流給電システム１００ａの構成と同等であるため、詳細な説明を繰り返さない。
【００６３】
図９は、図８に示した連系リレー部２０ａの構成を概略的に示す回路ブロック図である。図９を参照して、連系リレー部２０ａは、連系リレー２１，２２に代えて、連系リレー２５，２６を含む点において、連系リレー部２０（図２参照）と異なる。連系リレー２５は、入力端子２５１と、出力端子（第１の出力端子）２５２と、出力端子（第２の出力端子）２５３とを有する。連系リレー２６は、入力端子２６１と、出力端子（第１の出力端子）２６２と、出力端子（第２の出力端子）２６３とを有する。
【００６４】
連系リレー２６の入力端子２６１は、リアクトルＬ２に電気的に接続される。言い換えると、入力端子２６１は、ＤＣ／ＡＣコンバータ７に電気的に接続される。出力端子２６２，２６３は、ブレーカ１０および端子Ｔ２にそれぞれ電気的に接続される。連系リレー２６は、制御部１０１からの導通信号ＣＮを受けている間、入力端子２６１と出力端子２６２とを導通させる一方で、導通信号ＣＮの入力が途絶えると、入力端子２６１と出力端子２６３とを導通させる。
【００６５】
遮断部３０，４０の非導通状態への移行により、パワーコンディショナ２００へのすべての電力供給が遮断されると、制御部１０１は導通信号ＣＮを出力することができない。この場合も、入力端子２６１の接続先が出力端子２６２から出力端子２６３へと切り替わる。なお、連系リレー２５の構成は、連系リレー２６の構成と同等であるため、詳細な説明を繰り返さない。
【００６６】
図１０は、図８に示した直流給電システムにおける絶縁抵抗測定方法を説明するためのフローチャートである。図８〜図１０を参照して、たとえば絶縁抵抗の測定者がパワーコンディショナの操作部（図示せず）を操作して、絶縁抵抗測定を開始することにより、一連の処理が開始される。
【００６７】
ステップＳ２１において、測定者の手動操作により、ブレーカ１０は導通状態から非導通状態へと移行する。これにより、パワーコンディショナ２００は系統電力源１から切り離される。しかし、制御部１０１は、上記操作部に対する操作に基づいて、導通信号ＣＮの出力を継続する。
【００６８】
ステップＳ２２において、制御部１０１は、遮断部３０に遮断信号ＳＤ３を出力する。遮断部３０は、遮断信号ＳＤ３に応答して、導通状態から非導通状態へと移行する。また、測定者の手動操作により、遮断部４０は導通状態から非導通状態へと移行する。これにより、パワーコンディショナ２００は、太陽電池３および蓄電機器４から切り離される（ステップＳ２３）。つまり、パワーコンディショナ２００へのすべての電力供給が遮断される。
【００６９】
このため、制御部１０１から連系リレー部２０への導通信号ＣＮの出力が停止する。これにより、連系リレー２５では、入力端子２５１の接続先が出力端子２５２から出力端子２５３へと切り替わる。また、連系リレー２６では、入力端子２６１の接続先が出力端子２６２から出力端子２６３へと切り替わる（ステップＳ２４）。したがって、絶縁抵抗測定器９はＤＣ／ＡＣコンバータ７と電気的に接続される。よって、絶縁抵抗測定器９は、パワーコンディショナと、直流バス８と、直流機器５との絶縁抵抗を測定することができる。
【００７０】
ステップＳ２５，Ｓ２６における処理は、ステップＳ１７，Ｓ１８における処理（図５参照）と同等であるため、詳細な説明を繰り返さない。ステップＳ２６の処理が終了すると、一連の処理が完了する。
【００７１】
このように、実施の形態２においても、パワーコンディショナ２００（連系リレー部２０ａを含む）と、直流バス８と、直流機器５との絶縁抵抗を一括して測定可能である。また、実施の形態２によれば、パワーコンディショナへの電力供給の遮断に備えて、直流電圧源１０２を設ける必要がない。したがって、直流給電システムの構成および制御を実施の形態１よりも簡易にすることができる。
【００７２】
なお、実施の形態１，２では、絶縁抵抗測定器９と、遮断部４０と、直流電圧源１０２の各々は、測定者による手動操作に基づいて制御されると説明した。しかし、これらの機器の制御主体は測定者に限定されない。たとえば絶縁抵抗測定器９は、制御部１０１からの測定信号（図示せず）に応答して、絶縁抵抗を測定してもよい。また、たとえば直流電圧源１０２は、制御部１０１からの制御信号（図示せず）に応答して、直流電圧Ｖｄｃの供給を開始してもよい。
【００７３】
また、パワーコンディショナの連系リレーは二重化されるのが一般的である。その場合は、二重化された連系リレーのうちリアクトルＬ１，Ｌ２に近いほうの連系リレーに本発明を適用してもよい。また、本発明は、蓄電機器、太陽電池（直流発電機器）、または直流機器のうち、いずれか１つまたは２つを備えない直流給電システムにも適用可能である。
【００７４】
本発明の実施の形態は以下のように要約することができる。
（１）パワーコンディショナ１００，２００であって、正母線ＰＬおよび負母線ＮＬを含み、直流電力を発電する太陽電池３と、直流電力を蓄える蓄電機器４と、直流電力が供給される直流機器５とを接続可能に構成された直流バス８と、直流バス８からの直流電力を交流電力に変換して、当該交流電力を系統電力源１に供給するＤＣ／ＡＣコンバータ７とを備え、ＤＣ／ＡＣコンバータ７は、正母線ＰＬと負母線ＮＬとの間に直列に接続されたトランジスタＴｒ１，Ｔｒ２と、正母線ＰＬと負母線ＮＬとの間に直列に接続されたトランジスタＴｒ３，Ｔｒ４と、負母線ＮＬから正母線ＰＬへと電流を流す向きにトランジスタＴｒ１〜Ｔｒ４とそれぞれ並列に接続されたダイオードＤ１〜Ｄ４とを含み、パワーコンディショナ１００，２００は、トランジスタＴｒ１，Ｔｒ２の接続点Ｐと系統電力源１との間、およびトランジスタＴｒ３，Ｔｒ４の接続点Ｑと系統電力源１との間に電気的に接続され、第１の操作に基づいて、ＤＣ／ＡＣコンバータ７を系統電力源１から切り離すブレーカ１０を接続可能に構成され、ブレーカ１０と接続点Ｐとの間、およびブレーカ１０と接続点Ｑとの間に電気的に接続され、ブレーカ１０と連動して、ＤＣ／ＡＣコンバータ７を系統電力源１から切り離す一方で、第２の操作に基づいて、非導通状態から導通状態へと移行する連系リレー部２０をさらに備え、連系リレー部２０は、導通状態において、絶縁抵抗測定器９を接続点Ｑに電気的に接続可能に構成された端子Ｔ２を含み、ブレーカ１０によりＤＣ／ＡＣコンバータ７が系統電力源１から切り離されるとともに、連系リレー部２０が導通状態へと切り替えられた状態において、端子Ｔ２は、端子Ｔ２に接続された絶縁抵抗測定器９から、ＤＣ／ＡＣコンバータ７および直流バス８の接地に対する絶縁抵抗を測定するための電圧を受ける、パワーコンディショナ１００，２００。
【００７５】
上記の構成によれば、実使用条件における直流給電システムの回路構成での絶縁抵抗を測定することができる。
【００７６】
（２）連系リレー部２０ａは、接続点Ｐに電気的に接続された入力端子２６１と、ブレーカ１０に電気的に接続された出力端子２６２と、端子Ｔ２に電気的に接続された出力端子２６３とを含み、連系リレー部２０ａは、太陽電池３および蓄電機器４のうちの少なくとも一方が直流バス８に電気的に接続されている間、入力端子２６１と出力端子２６２とを導通させる一方で、太陽電池３および蓄電機器４の各々が直流バス８から切り離されると、入力端子２６１と出力端子２６３とを導通させる、パワーコンディショナ２００。
【００７７】
上記の構成によれば、直流電圧源１０２を設けなくても、連系リレー部を絶縁抵抗測定器９とＤＣ／ＡＣコンバータ７との導通状態に切り替えることができる。
【００７８】
（３）ブレーカ１０によりＤＣ／ＡＣコンバータ７が系統電力源１から切り離されるとともに、連系リレー部２０が導通状態へと切り替えられた状態において、端子Ｔ２は、絶縁抵抗測定器９から、ＤＣ／ＡＣコンバータ７および正母線ＰＬの接地に対する絶縁抵抗を測定するための正の電圧、またはＤＣ／ＡＣコンバータ７および負母線ＮＬの接地に対する絶縁抵抗を測定するための負の電圧を受ける、パワーコンディショナ１００，２００。
【００７９】
上記の構成によれば、正母線および負母線双方の絶縁抵抗を測定することができる。
（４）連系リレー部２０は、導通状態において、絶縁抵抗測定器９を接続点Ｑに電気的に接続可能に構成された端子Ｔ１をさらに含み、ブレーカ１０によりＤＣ／ＡＣコンバータ７が系統電力源１から切り離されるとともに、連系リレー部２０が導通状態へと切り替えられた状態において、端子Ｔ１は、端子Ｔ１に接続された絶縁抵抗測定器９から、ＤＣ／ＡＣコンバータ７および直流バス８の接地に対する絶縁抵抗を測定するための正または負の電圧を受ける、パワーコンディショナ１００，２００。
【００８０】
上記の構成によれば、ＤＣ／ＡＣコンバータにおける絶縁抵抗の異常をより確実に検出することができる。
【００８１】
（５）直流給電システム１００ａの絶縁抵抗測定方法であって、直流給電システム１００ａは、直流機器５に直流電力を供給するための直流バス８と、直流電力を発電して、当該直流電力を直流バス８に供給する太陽電池３と、直流バス８に供給される直流電力を蓄える蓄電機器４と、直流バス８からの直流電力を交流電力に変換して、当該交流電力を系統電力源１に供給するＤＣ／ＡＣコンバータ７とを備え、ＤＣ／ＡＣコンバータ７は、直流バス８の正母線ＰＬと負母線ＮＬとの間に直列に接続されたトランジスタＴｒ１，Ｔｒ２と、正母線ＰＬと負母線ＮＬとの間に直列に接続されたトランジスタＴｒ３，Ｔｒ４と、負母線ＮＬから正母線ＰＬへと電流を流す向きにトランジスタＴｒ１〜Ｔｒ４とそれぞれ並列に接続されたダイオードＤ１〜Ｄ４とを含み、トランジスタＴｒ１，Ｔｒ２の接続点Ｐと、トランジスタＴｒ３，Ｔｒ４の接続点Ｑとは、ブレーカ１０を介して、系統電力源１に電気的に接続され、直流給電システム１００ａは、ブレーカ１０と接続点Ｐとの間、およびブレーカ１０と接続点Ｑとの間に電気的に接続され、ブレーカ１０と連動して、ＤＣ／ＡＣコンバータ７を系統電力源１から切り離す連系リレー部２０をさらに備え、絶縁抵抗測定方法は、ブレーカ１０により、ＤＣ／ＡＣコンバータ７を系統電力源１から切り離すステップＳ１１と、外部電力により、連系リレー部２０を非導通状態から導通状態へと切り替えるステップＳ１６と、連系リレー部２０のブレーカ１０側と接地電位ＧＮＤとの間に電気的に接続された絶縁抵抗測定器９により、トランジスタＴｒ１，Ｔｒ２の接続点Ｑと接地電位ＧＮＤとの間に正または負の電圧を印加して、ＤＣ／ＡＣコンバータ７および直流バス８の絶縁抵抗を測定するステップＳ１７，Ｓ１８とを備え、切り替えるステップＳ１６は、切り離すステップＳ１１の後に実行され、測定するステップＳ１７，Ｓ１８は、切り替えるステップＳ１６の後に実行される、絶縁抵抗測定方法。
【００８２】
上記の方法によれば、実使用条件における直流給電システムの回路構成での絶縁抵抗を測定することができる。
【００８３】
（６）絶縁抵抗を測定するステップＳ１７，Ｓ１８は、接続点Ｐに正の電圧を印加して、ＤＣ／ＡＣコンバータ７および正母線ＰＬの絶縁抵抗を測定するステップＳ１７と、接続点Ｐに負の電圧を印加して、ＤＣ／ＡＣコンバータ７および負母線ＮＬの絶縁抵抗を測定するステップＳ１８とを含む、絶縁抵抗測定方法。
【００８４】
上記の方法によれば、正母線および負母線双方の絶縁抵抗を測定することができる。
（７）切り離すステップＳ１１の後に、ＤＣ／ＡＣコンバータ７のブレーカ１０側と接地電位ＧＮＤとの間に電気的に接続された絶縁抵抗測定器９により、接続点Ｑと接地電位ＧＮＤとの間に高電圧を印加して、ＤＣ／ＡＣコンバータ７および直流バス８の絶縁抵抗を測定するステップＳ１７，Ｓ１８とをさらに備える、絶縁抵抗測定方法。
【００８５】
上記の方法によれば、ＤＣ／ＡＣコンバータにおける絶縁抵抗の異常をより確実に検出することができる。
【００８６】
（８）絶縁抵抗測定方法は、絶縁抵抗を測定するステップＳ１７，Ｓ１８の前に、太陽電池３と直流バス８との間に電気的に接続された遮断部３０により、太陽電池３を直流バス８から切り離すステップＳ１４と、絶縁抵抗を測定するステップＳ１７，Ｓ１８の前に、蓄電機器４と直流バス８との間に電気的に接続された遮断部４０により、蓄電機器４を直流バス８から切り離すステップＳ１４とをさらに備える、絶縁抵抗測定方法。
【００８７】
上記の方法によれば、太陽電池および蓄電機器を過電圧破壊から保護することができる。
【００８８】
（９）正母線ＰＬおよび負母線ＮＬを含み、直流機器５に直流電力を供給するための直流バス８と、直流電力を発電して、当該直流電力を直流バスに供給する太陽電池３と、直流バス８に供給される直流電力を蓄える蓄電機器４と、直流バス８からの直流電力を交流電力に変換して、当該交流電力を系統電力源１に供給するＤＣ／ＡＣコンバータ７と、ＤＣ／ＡＣコンバータ７と系統電力源１との間に電気的に接続され、所定の操作に基づいて、ＤＣ／ＡＣコンバータ７を系統電力源１から切り離すブレーカ１０とを備え、ＤＣ／ＡＣコンバータ７は、正母線ＰＬと負母線ＮＬとの間に直列に接続されたトランジスタＴｒ１，Ｔｒ２と、正母線ＰＬと負母線ＮＬとの間に直列に接続されたトランジスタＴｒ３，Ｔｒ４と、負母線ＮＬから正母線ＰＬへと電流を流す向きにトランジスタＴｒ１〜Ｔｒ４とそれぞれ並列に接続されたダイオードＤ１〜Ｄ４とを含み、トランジスタＴｒ１，Ｔｒ２の接続点Ｐと、トランジスタＴｒ３，Ｔｒ４の接続点Ｑとは、系統電力源１に電気的に接続され、ブレーカ１０と接続点Ｐとの間、およびブレーカ１０と接続点Ｑとの間に電気的に接続され、ブレーカ１０と連動して、ＤＣ／ＡＣコンバータ７を系統電力源１から切り離す連系リレー部２０と、接続点Ｐとブレーカ１０との間に設けられ、絶縁抵抗測定器９を接続点Ｑに電気的に接続可能に構成された端子Ｔ２をさらに備え、ブレーカ１０によりＤＣ／ＡＣコンバータ７が系統電力源１から切り離されるとともに、連系リレー部２０が導通状態へと切り替えられた状態において、端子Ｔ２は、端子Ｔ２に接続された絶縁抵抗測定器９から、ＤＣ／ＡＣコンバータ７および直流バス８の絶縁抵抗を測定するための電圧を受ける、直流給電システム１００ａ，２００ａ。
【００８９】
上記の構成によれば、実使用条件における直流給電システムの回路構成での絶縁抵抗を測定することができる。
【００９０】
（１０）直流給電システム２００ａは、太陽電池３と直流バス８との間に電気的に接続された遮断部３０と、蓄電機器４と直流バス８との間に電気的に接続された遮断部４０とをさらに備え、連系リレー部２０ａは、接続点Ｐに電気的に接続された入力端子２６１と、ブレーカ１０に電気的に接続された出力端子２６２と、端子Ｔ２に電気的に接続された出力端子２６３とを含み、連系リレー部２０ａは、太陽電池３および蓄電機器４のうちの少なくとも一方が直流バス８に電気的に接続されている間、入力端子２６１と出力端子２６２とを導通させる一方で、遮断部３０，４０により太陽電池３および蓄電機器４が直流バス８からそれぞれ切り離されると、入力端子２６１と出力端子２６３とを導通させる、直流給電システム２００ａ。
【００９１】
上記の構成によれば、直流電圧源１０２を設けなくても、連系リレー部を絶縁抵抗測定器９とＤＣ／ＡＣコンバータ７との導通状態に切り替えることができる。
【００９２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００９３】
１００，２００，９００  パワーコンディショナ、１００ａ，２００ａ，９００ａ  直流給電システム、１  系統電力源、３  太陽電池、４  蓄電機器、５  直流機器、６  ＤＣ／ＤＣインバータ、７  ＤＣ／ＡＣインバータ、８  直流バス、ＰＬ  正母線、ＮＬ  負母線、９  絶縁抵抗測定器、ＴＬ  線路端子、ＴＧ  基準電圧端子、１０  ブレーカ、２０，２０ａ  連系リレー部、２１，２２，２５，２６  連系リレー、２５１，２６１  入力端子、２５２，２５３，２６２，２６３  出力端子、２３  端子台、Ｔ１〜Ｔ３  端子、２４  外部入力端子、３０，４０，５０  遮断部、Ｔｒ１〜Ｔｒ４  トランジスタ、Ｄ１〜Ｄ４  ダイオード、Ｌ１，Ｌ２  リアクトル、Ｃ１〜Ｃ４  コンデンサ。
【図１】
2014185907.tif 000003
【図２】
2014185907.tif 000004
【図３】
2014185907.tif 000005
【図４】
2014185907.tif 000006
【図５】
2014185907.tif 000007
【図６】
2014185907.tif 000008
【図７】
2014185907.tif 000009
【図８】
2014185907.tif 000010
【図９】
2014185907.tif 000011
【図１０】
2014185907.tif 000012
【図１１】
2014185907.tif 000013